(57)【要約】【課題】離れたところで異常状態の発生を知ることができるセキュリティ機能を有するインターホンシステムを提供する。【解決手段】本発明は、応答者を呼び出す子機と、子機の呼び出しに応答してマイク部を通じて通話できるとともに必要に応じて副親機を呼び出す親機と、子機または親機からの呼び出しに応答してマイク部を通じてそれぞれとの通話できる前記副親機を有するインターホンシステムにおいて、親機と副親機は、それぞれに付属したマイク部の音の入力状況により異常状態を検出する検出処理部を有し、親機は、親機から離れた場所で親機と情報通信する外部端末情報と検出処理部が異常状態を検出するかしないかの情報とを設定する機能設定部と、検出処理部が異常状態を検出したときに外部端末に通知する転送処理部とを有するものであることを特徴としている。【選択図】　図２
2004112387.tif 000002
【特許請求の範囲】
【請求項１】
屋外に設置され屋内の応答者を呼び出す子機と、屋内に設置され子機の呼び出しに応答してマイク部を通じて通話できるとともに必要に応じて副親機を呼び出す親機と、屋内に設置され子機または親機からの呼び出しに応答してマイク部を通じてそれぞれとの通話できる前記副親機を有するインターホンシステムにおいて、親機と副親機は、それぞれに付属したマイク部の音の入力状況により異常状態を検出する検出処理部を有し、親機は、親機から離れた場所で親機と情報通信する外部端末情報と検出処理部が異常状態を検出するかしないかの情報とを設定する機能設定部と、検出処理部が異常状態を検出したときに外部端末に通知する転送処理部とを有するものであることを特徴とするインターホンシステム。
【請求項２】
検出処理部は、マイク部の入力レベルを所定の音量レベルと比較することにより異常状態を検出するものであることを特徴とする請求項１記載のインターホンシステム。
【請求項３】
前記所定の音量レベルが、複数レベルであり、前記転送処理部はこのレベルに応じた通知を行うものであることを特徴とする請求項２記載のインターホンシステム。
【請求項４】
検出処理部は、マイク部の入力が音声であるかいなかを検出するものであることを特徴とする請求項１乃至３記載のインターホンシステム。
【請求項５】
検出処理部は、マイク部の入力の周波数成分により異常状態を検出するものであることを特徴とする請求項１乃至４記載のインターホンシステム。
【請求項６】
親機と副親機は、固有の識別情報を有し、転送処理部は、前記異常状態を検出した検出処理部を有する親機または副親機の識別情報を外部端末に通知するものであることを特徴とする請求項１乃至５記載のインターホンシステム。
【請求項７】
転送処理部は、前記異常状態を検出した検出処理部を有する親機または副親機と外部端末との間の通話を可能にするものであることを特徴とする請求項６記載のインターホンシステム。
【請求項８】
親機と副親機は、その周囲を撮像するカメラ部を有し、転送処理部は、カメラ部で撮像した映像情報を外部端末に送信するものであることを特徴とする請求項１乃至７記載のインターホンシステム。
【請求項９】
親機と副親機は、その周囲を撮像するカメラ部を有し、前記異常状態を検出した検出処理部を有する親機または副親機と外部端末との間の通話を可能にしてから親機または副親機に音の入力がないときに、転送処理部は、カメラ部で撮像した映像情報を外部端末に送信するものであることを特徴とする請求項７記載のインターホンシステム。
【請求項１０】
前記カメラ部は、外部端末により動作制御をすることが可能なものであることを特徴とする請求項８または９記載のインターホンシステム。
【発明の詳細な説明】
【０００１】
【発明の属する技術分野】
本発明は、セキュリティ機能を有するインターホンシステムに関する。
【０００２】
【従来の技術】従来より、屋外に設置された子機からの呼び出しに屋内に設置された親機や副親機で応答して屋内と屋外との間で通話するとともに、屋内において親機と副親機との間で通話を行うインターホンシステムが知られている。近年、このインターホンシステムの中には、不審者の侵入などの異常状態を検出してそれを記録したり、不審者との通話を避けるためのセキュリティ機能を有するものも開発されている。
このセキュリティ機能を有するものとして、特開２００２−１０１２１９号公報には、住戸内に防犯センサや火災センサなどの異常検出手段と、電話回線などの通話手段と、緊急連絡先の電話番号を記憶する記憶手段を設けて、異常検出手段が異常状態を検出したときに通話開始操作を行うことにより、あらかじめ記憶手段に設定された緊急連絡先を自動的に呼び出す住宅情報盤の構成が開示されている。
【０００３】
【特許文献１】
特開２００２−１０１２１９号公報
【０００４】
【発明が解決しようとする課題】
しかしながら、特開２００２−１０１２１９号公報に開示された構成は、住戸内の異常状態を検出したときに、通話開始操作をすることにより自動的に緊急連絡先を呼び出すので、住戸内の異常に対して簡単かつ確実に対応することができるが、対応する者は住戸内にいる必要があり、屋外（住戸外）で異常状態の発生を知って対処できるものではなかった。
【０００５】
本発明は、上記事由に鑑みてなしたもので、離れたところで異常状態の発生を知ることができるセキュリティ機能を有するインターホンシステムを提供することにある。
【０００６】
【課題を解決するための手段】
請求項１に係る発明は、屋外に設置され屋内の応答者を呼び出す子機と、屋内に設置され子機の呼び出しに応答してマイク部を通じて通話できるとともに必要に応じて副親機を呼び出す親機と、屋内に設置され子機または親機からの呼び出しに応答してマイク部を通じてそれぞれとの通話できる前記副親機を有するインターホンシステムにおいて、親機と副親機は、それぞれに付属したマイク部の音の入力状況により異常状態を検出する検出処理部を有し、親機は、親機から離れた場所で親機と情報通信する外部端末情報と検出処理部が異常状態を検出するかしないかの情報とを設定する機能設定部と、検出処理部が異常状態を検出したときに外部端末に通知する転送処理部とを有するものであることを特徴としている。
【０００７】
したがって、検出処理部が異常状態を検出するように機能設定部に設定しておけば、親機または副親機に設けられている通話用のマイク部の入力状況により検出処理部が異常状態を検出したときに、転送処理部は機能設定部に設定された外部端末に異常状態の発生を通知するので、応答者が親機や副親機から離れたところにいる場合においても、外部端末により異常状態の発生を知ることができる。
【０００８】
請求項２に係る発明は、請求項１記載のインターホンシステムにおいて、検出処理部は、マイク部の入力レベルを所定の音量レベルと比較することにより異常状態を検出するものであることを特徴としている。
【０００９】
したがって、マイク部に所定の音量レベル以上の音が入力されると異常状態が検出されるので、物音が生じたときに屋内における異常状態を検出することができる。
【００１０】
請求項３に係る発明は、請求項２記載のインターホンシステムにおいて、前記所定の音量レベルが、複数レベルであり、前記転送処理部はこのレベルに応じた通知を行うことを特徴としている。
【００１１】
したがって、複数の音量レベルを異なる異常状態に対応させておくことにより複数の異常状態を検出してそのうちのどれが起きたかを外部端末に通知することができる。
【００１２】
請求項４に係る発明は、請求項１乃至３記載のインターホンシステムにおいて、検出処理部は、マイク部の入力が音声であるかいなかを検出することを特徴としている。
【００１３】
したがって、異常状態の発生が人間によるものかどうかを知ることにより、その異常状態に適切な対応することができる。
【００１４】
請求項５に係る発明は、請求項１乃至４記載のインターホンシステムにおいて、検出処理部は、マイク部の入力の周波数成分により異常状態を検出するものであることを特徴としている。
【００１５】
したがって、マイク部の入力の周波数成分により異常状態を検出するので、マイク部に入力される音の音質を考慮して屋内における異常状態を検出することができる。
【００１６】
請求項６に係る発明は、請求項１乃至５記載のインターホンシステムにおいて、親機と副親機は、固有の識別情報を有し、転送処理部は、前記異常状態を検出した検出処理部を有する親機または副親機の識別情報を外部端末に通知するものであることを特徴としている。
【００１７】
したがって、応答者は、外部端末により異常状態を検出した検出処理部を有する親機または副親機の識別情報を知ることができるので、応答者が親機や副親機から離れたところにいる場合においても、異常状態が発生したこととともに異常状態が発生した場所の概略位置を知ることができる。
【００１８】
請求項７に係る発明は、請求項６記載のインターホンシステムにおいて、転送処理部は、前記異常状態を検出した検出処理部を有する親機または副親機と外部端末との間の通話を可能にするものであることを特徴としている。
【００１９】
したがって、応答者は、外部端末により異常状態が発生した場所の周囲の音を聞くことができるとともにその場所に向けて話しかけることができるので、応答者が親機や副親機から離れたところにいる場合においても、異常状態に対して口頭で対応することができる。
【００２０】
請求項８に係る発明は、請求項１乃至７記載のインターホンシステムにおいて、親機と副親機は、その周囲を撮像するカメラ部を有し、転送処理部は、カメラ部で撮像した映像情報を外部端末に送信するものであることを特徴としている。
【００２１】
したがって、応答者は、転送処理部により送信された映像を外部端末で見ることができるので、応答者が親機や副親機から離れたところにいる場合においても、異常状態が発生した屋内の状況を確認することができる。
【００２２】
請求項９に係る発明は、請求項７記載のインターホンシステムにおいて、親機と副親機は、その周囲を撮像するカメラ部を有し、前記異常状態を検出した検出処理部を有する親機または副親機と外部端末との間の通話を可能にしてから親機または副親機に音の入力がないときに、転送処理部は、カメラ部で撮像した映像情報を外部端末に送信するものであることを特徴としている。
【００２３】
したがって、応答者は、外部端末により異常状態に対して口頭で対応しても反応がないときに、転送処理部により送信された映像を外部端末で見ることができるので、応答者が親機や副親機から離れたところにいる場合においても、異常状態が発生した屋内の状況を確認しながら口頭で対応することができる。
【００２４】
請求項１０に係る発明は、請求項８または９記載のインターホンシステムにおいて、前記カメラ部は、外部端末により動作制御をすることが可能なものであることを特徴としている。
【００２５】
したがって、応答者は、外部端末を操作することにより親機または副親機に設けられたカメラ部の動作制御をすることができるので、応答者が親機や副親機から離れたところにいる場合においても、異常状態が発生した屋内の状況を角度や方向などの撮像範囲を変化させて確認することができる。
【００２６】
【発明の実施の形態】
（第１の実施形態）
本発明に係る一実施形態を図１乃至図３を用いて説明する。このものは、図１に示すように、子機１と、子機１と有線で接続される親機２と、親機２と有線で３台接続されている副親機３と、親機２と無線で接続される外部端末４とを有して構成されている。
【００２７】
子機１は、住宅の玄関などの屋外に設置され、来訪者が居住者（応答者）を呼び出して通話するために用いるものである。このものは、呼出釦１１と、マイク部１２と、スピーカ部１３とを有して構成されている。呼出釦１１は、親機２を呼び出すために用いられ、マイク部１２は、来訪者の音声を入力するものであり、スピーカ部１３は、親機２や副親機３からの音声を出力するものである。
【００２８】
親機２は、住宅などの屋内に設置され、来訪者からの呼び出しに応答者が応答して通話するとともに、副親機３を呼び出すものである。
【００２９】
このものは、図２に示すように、応答釦２１と、機能設定部２２と、カメラ部２３と、センサ部２４と、ＲＯＭ２５と、ＲＡＭ２６と、検出処理部２７と、マイク部２８と、スピーカ部２９と、転送処理部２ａと、制御部２ｂと、演算部２ｃと、子機インターフェイス部２ｄと、副親機インターフェイス部２ｅと、外部回線インターフェイス部２ｆとを有して構成されている。
【００３０】
応答釦２１は、制御部２ｂに接続され、子機１から呼び出しがあったときに操作することにより、子機１と親機２の間で通話ができるようにするものである。
【００３１】
機能設定部２２は、制御部２ｂに接続され、外部端末４の情報と、検出処理部２７が異常状態を検出するかしないかとが設定される。このものは、外部端末４の情報として、それに接続するための接続手順などが設定される。例えば、外部端末４が携帯電話や、一般の固定電話のときには、電話番号が設定される。また、検出部２７が異常状態を検出しないようにすれば、通常のインターホンシステムとしての利用をする通常モードに、検出するようにすれば異常状態を検出する留守モードに設定することができる。
【００３２】
カメラ部２３は、制御部２ｂと接続され、制御部２ｂにより角度や方向などを制御されつつ、親機２から見える範囲内で撮像を行うものである。このものは、制御部２ｂから制御信号を入力されて撮像動作を行い、撮像した映像情報を制御部２ｂに出力する。
【００３３】
センサ部２４は、制御部２ｂと接続される人体検知センサであり、センサ部２４の検知領域を親機２の周囲とすることにより、機能設定部２２が留守モードに設定されているときに親機２付近の人の動きを検出するものである。このものは、検出した結果を制御部２ｂに出力する。このものは、マイク部２８から入力される音による異常状態の検出と同時に人体の検知を行うことにより、異常状態の検出の信頼性を向上させるものである。
【００３４】
ＲＯＭ２５は、制御部２ｂに接続され、制御部２ｂが動作するために必要な情報が記憶されるものである。また、このものは、親機２や３台の副親機３などのインターホンシステム内のそれぞれの装置を区別するための固有の識別情報を記憶している。ＲＡＭ２６は、制御部２ｂと接続されており、制御部２ｂの演算領域として用いられるものである。
【００３５】
検出処理部２７は、マイク部２８と制御部２ｂに接続され、マイク部２８から入力される音声信号の入力状況に応じて異常状態を検出するものである。このものは、機能設定部２２で留守モードに設定されていれば異常状態を検出する動作を行い、通常モードのときには動作しない。また、このものは、マイク部２８から入力される音声信号の入力レベルを所定の音量レベルと比較して異常状態の検出を行う。この所定の音量レベルは、例えば暗騒音レベルよりも少しだけ大きなレベルに設定される。このことにより、検出処理部２７は、物音を検知することができるので、例えば、泥棒等の侵入を報知する防犯用に用いることができる。
【００３６】
また、所定の音量レベルを複数設定することもできる。第１のレベルを暗騒音レベルよりも少し大きなレベルに、第２のレベルを第１のレベルよりもさらに大きなレベル、例えば人が生活しているときなどに通常おこる音量レベルに設定する。そして、入力音をそれぞれのレベルと比較することによって、各レベルに応じた通知を行う。こうすることによって、第１のレベルが長く通知されるような場合には泥棒等の不審人物の可能性が高いことがわかり、第２レベルが長く通知されるような場合には家の者が帰宅したことや老人が起床したことなどを報知するような生活監視用にも用いることができる。なお、家人の帰宅時間等を考慮すれば、より判断しやすくなる。この検出処理部２７は、異常状態を検出したときにその検出信号を制御部２ｂに出力する。
【００３７】
マイク部２８は、検出処理部２７と演算部２ｃとに接続され、親機２の周囲で発生する音が入力され、それを電気信号に変換して検出処理部２７と演算部２ｃとに出力する。このものは、通常モードにおいては応答者の音声が入力されるものとなり、留守モードにおいては異常状態を検出するための音を入力するものとなる。
【００３８】
スピーカ部２９は、演算部２ｃと接続され、演算部２ｃから音声信号が入力され、それを音に変換して外部に出力する。このことにより、このものは、子機１、副親機３、外部端末４から送信される音を出力する。
【００３９】
転送処理部２ａは、制御部２ｂと、演算部２ｃと、外部回線インターフェイス部２ｆに接続され、制御部２ｂの信号により異常状態の発生を外部端末４に通知するものである。このものは、制御部２ｂから信号が入力されたときに機能設定部２２に記憶された外部端末４への接続の手順にしたがい、外部回線インターフェイス部２ｆと外部端末４との間で通信ができるようにし、異常状態の発生を通知する。また、このものは、制御部２ｂから異常状態を検出した検出処理部２７，３７を有する親機２または副親機３の識別情報が入力され、その識別情報を外部端末４に通知する。したがって、応答者は、親機２や副親機３から離れたところにいる場合においても、外部端末４により異常状態が発生したことと異常状態が発生した場所の概略位置を知ることができる。ここで、この通知の方法には、例えば、外部端末４に文字情報で送信することなどを用いることができる。
【００４０】
また、このものは、外部回線インターフェイス部２ｆを介して異常状態を検出した検出処理部２７，３７を有する親機２または副親機３と外部端末４との間で通話を可能にする。例えば、外部端末４の操作を待って通話を開始させたり、直接通話を開始することができる。このことにより、応答者が親機２や副親機３から離れたところにいる場合においても、異常状態に口頭で対応することができる。
【００４１】
また、このものは、異常状態を検出した検出処理部２７，３７を有する親機２または副親機３と外部端末４との間の通話を可能にしてから親機２または副親機３に音の入力がないときに、カメラ部２３，３２で撮像した映像情報を外部端末４に送信する。例えば、外部端末４の操作により映像情報の送信を指示するようにできる。したがって、応答者は、外部端末４により異常状態に対して口頭で対応しても反応がないときに、屋内の映像を外部端末４で見ることができるので、応答者が親機２や副親機３から離れたところにいる場合においても、異常状態が発生した屋内の状況を確認しながら口頭で対応することができる。
【００４２】
制御部２ｂは、応答釦２１と、機能設定部２２と、カメラ部２３と、センサ部２４と、ＲＯＭ２５と、ＲＡＭ２６と、検出処理部２７と、転送処理部２ａと、演算部２ｃと、子機インターフェイス部２ｄとに接続されている。このものは、通常モードにおいてはインターホンシステムにおける通話に対して各部の制御を行う。そして、このものは、留守モードにおいては、異常状態が検出されたときに、それが親機２のときには、検出処理部２７から異常状態の検出信号が入力されてＲＯＭ２５から装置に固有の識別情報が入力され、それが副親機３のときには、副親機３から副親機インターフェイス部２ｅを介して異常状態の検出信号と異常状態を検出した検出処理部３７を有する副親機３の識別情報が入力される。そして、このものは、異常状態の検出信号と、装置に固有の識別情報を転送処理部２ａに出力するなどして転送処理部２ａの動作を制御する。ここで、このものは、異常状態の検出信号が入力されたときに、センサ部２４からの検出結果を考慮して異常状態が発生したかどうかの判断を行うことにより、異常状態を検出した結果の信頼性を向上させることができる。また、このものは、カメラ部２３が撮像した映像情報を外部端末４に出力し、外部端末４からの信号により、方向や角度などの動作制御を行うようにカメラ部２３に制御信号を出力する。
【００４３】
演算部２ｃは、マイク部２８と、スピーカ部２９と、転送処理部２ａと、制御部２ｂと、副親機インターフェイス部２ｅとに接続されており、子機１と副親機３の間で送受信される信号の増幅、減衰、変復調などの信号処理を行うものである。
【００４４】
子機インターフェイス部２ｄは、ケーブルを介して子機１と接続され、親機２内では制御部２ｂと接続され、子機１との伝送処理を行うものである。副親機インターフェイス部２ｅは、ケーブルを介して副親機３と接続され、親機２内では演算部２ｃと接続され、副親機３との伝送処理を行うものである。また、外部回線インターフェイス部２ｆは、転送処理部２ａに接続される電話機であり、転送処理部２ａから信号を入力され、外部端末４と接続して通信を行えるようにするものである。
【００４５】
副親機３は、屋内に設置され子機１と親機２からの呼び出しに応答してマイク部３８を通じてそれぞれとの通話を可能にするものである。このものは、図３に示すように、応答釦３１と、カメラ部３２と、センサ部３３と、親機インターフェイス部３４と、ＲＯＭ３５と、ＲＡＭ３６と、検出処理部３７と、マイク部３８と、スピーカ部３９と、制御部３ａと、演算部３ｂとを有して構成されている。
【００４６】
応答釦３１は、制御部３ａに接続され、子機１や親機２から呼び出しがあったときに操作することにより、副親機３とそれぞれの間で通話ができるようにするものである。
【００４７】
カメラ部３２は、制御部３ａと接続され、制御部３ａにより角度や方向などを制御されつつ、副親機３から見える範囲内で撮像を行うものである。このものは、制御部３ａから制御信号を入力されて撮像動作を行い、撮像した映像情報を制御部３ａに出力する。
【００４８】
センサ部３３は、制御部３ａと接続される人体検知センサであり、センサ部３３の検知領域を副親機３の周囲とすることにより、機能設定部２２が留守モードに設定されているときに副親機３付近の人の動きを検出するものである。このものは、検出した結果を制御部３ａに出力する。このものは、マイク部３８から入力される音による異常状態の検出と同時に人体の検知を行うことにより、異常状態の検出の信頼性を向上させるものである。
【００４９】
親機インターフェイス部３４は、ケーブルを介して親機２と接続され、副親機３内では制御部３ａと接続され、親機２との伝送処理を行うものである。ＲＯＭ３５は、制御部３ａに接続され、制御部３ａが動作するために必要な情報が記憶されるものである。また、このものは、親機２や３台の副親機３などのインターホンシステム内のそれぞれの装置を区別するための固有の識別情報を記憶している。ＲＡＭ３６は、制御部３ａと接続されており、制御部３ａの演算領域として用いられるものである。
【００５０】
検出処理部３７は、マイク部３８と制御部３ａに接続され、マイク部３８から入力される音声信号の入力状況に応じて異常状態を検出するものである。このものは、機能設定部２２で留守モードに設定されていれば異常状態を検出する動作を行い、通常モードのときには動作しない。また、このものは、マイク部３８から入力される音声信号の入力レベルを所定の音量レベルと比較して異常状態の検出を行う。この所定の音量レベルは、暗騒音レベルよりも大きなレベルに設定され、この音量レベルを変化させることにより、異常状態と判断する音の音量を変更することができる。そして、この検出処理部３７は、異常状態を検出したときにその検出信号を制御部３ａに出力する。
【００５１】
マイク部３８は、検出処理部３７と演算部３ｂとに接続され、副親機３の周囲で発生する音が入力され、それを電気信号に変換して検出処理部３７と演算部３ｂとに出力する。このものは、通常モードにおいては応答者の音声が入力されるものとなり、留守モードにおいては異常状態を検出するための音を入力するものとなる。
【００５２】
スピーカ部３９は、演算部３ｂと接続され、演算部３ｂから音声信号が入力され、それを音に変換して外部に出力する。このことにより、このものは、子機１、親機２、外部端末４から送信される音を出力する。
【００５３】
制御部３ａは、応答釦３１と、カメラ部３２と、センサ部３３と、親機インターフェイス部３４と、ＲＯＭ３５と、ＲＡＭ３６と、検出処理部３７と、演算部３ｂとに接続されている。このものは、通常モードにおいてはインターホンシステムにおける通話に対して各部の制御を行う。そして、このものは、留守モードにおいては、異常状態が検出されたときに、検出処理部３７から異常状態の検出信号が入力されてＲＯＭ３５から装置に固有の識別情報が入力され、異常状態の検出信号と、装置に固有の識別情報を親機インターフェイス部３４を介して制御部２ｂに出力する。ここで、このものは、異常状態の検出信号が入力されたときに、センサ部３３からの検出結果を考慮して異常状態が発生したかどうかの判断を行うことにより、異常状態を検出した結果の信頼性を向上させることができる。また、このものは、カメラ部３２が撮像した映像情報を外部端末４に出力し、外部端末４からの信号により、方向や角度などの動作制御を行うようにカメラ部３２に制御信号を出力する。
【００５４】
演算部３ｂは、マイク部３８と、スピーカ部３９と、制御部３ａとに接続されており、親機２の間で送受信される信号の増幅、減衰、変復調などの信号処理を行うものである。
【００５５】
外部端末４は、携帯電話であり、外部回線インターフェイス部２ｆからの発信により親機２と通信が可能となる。このものは、携帯電話を用いることが多いが、固定電話であってもよい。
【００５６】
次に第１の実施形態の動作について説明する。ここでは、インターホンシステムが住宅に設置されており、その住人（応答者）が機能設定部２２で動作モードが留守モードに設定して外出した場合について説明する。機能設定部２２で動作モードが留守モードに設定されると、親機２の検出処理部２７と副親機３の検出処理部３７は、マイク部２８，３８からの入力音の処理を開始する。これらのものは、音が入力されると、それを所定の音量レベルと比較してその音が異常状態を示すものであれば検出信号を出力する。ここで、親機２の検出処理部２７が異常状態を検出したときには、制御部２ｂは、検出処理部２７から異常状態の検出信号を、ＲＯＭ２５から装置に固有の識別情報を入力される。また、副親機３の検出処理部３７が異常状態を検出したときには、検出処理部３７からの検出信号とＲＯＭ３５からの装置に固有の識別情報を制御部３ａを介して制御部２ｂに入力される。そして、制御部２ｂは、転送処理部２ａに異常状態の検出信号と、装置に固有の識別情報を転送処理部２ａを出力する。転送処理部２ａは、制御部２ｂから異常状態の検出信号と、装置に固有の識別情報を転送処理部２ａを入力されると、機能設定部２２に設定された外部端末４への接続の手順にしたがい、外部回線インターフェイス部２ｆと外部端末４との間で通信ができるようにし、外部端末４に異常状態の発生を通知するとともに、異常状態を検出した検出処理部２７，３７を有する親機２または副親機３の識別情報を通知する。
【００５７】
また、検出処理部２７、３７に音声検出の機能を持たせた場合において説明する。例えば、応答者が乳児を屋内で寝かせて外出したときなどには、所定の音量レベルを乳児の寝返りなどの微小な物音では異常状態を検出しないレベルに設定しておき、音声検出による泣き声では異常状態を検出するように設定することもできる。こうすれば、帰宅しなければならないかどうかを判断することが可能となる。
【００５８】
そして、この転送処理部２ａは、外部端末４と異常状態を検出した検出処理部２７，３７を有する親機２または副親機３との間で通話ができるようにする。こうすることにより、応答者は、外出中であっても外部端末４により、屋内で生じた異常状態に口頭で対応することができる。例えば、応答者が乳児や幼児を住宅に残したまま外出して幼児が泣き出した場合、その泣き声を音声検出した親機２または副親機３と外部端末４との間で通話ができるようになるので、応答者は、外部端末４により幼児に話しかけてその状態に対処することができる。
【００５９】
また、このものは、異常状態を検出した検出処理部２７，３７を有する親機２または副親機３と外部端末４との間の通話を可能にしてから親機２または副親機３に音の入力がないときに、カメラ部２３，３２で撮像した映像情報を外部端末４に送信する。また、このときのカメラ部２３、３２の撮像範囲は、外部端末４により動作制御することができる。こうすることにより、応答者は、応答者が親機２や副親機３から離れたところにいる場合においても、異常状態が発生した屋内の状況を確認しながら口頭で対応することができる。例えば、侵入者が住宅に侵入している場合、この異常状態が検出され、その検出処理部２７，３７を有する親機２または副親機３との間で通話ができるようになってから、応答者が外部端末４を用いて話しかけても応答がないときに、カメラ部２３，３２で様々な方向や角度で撮像された映像を外部端末４で見ることにより屋内の状況を確認しながら侵入者に警告を与えることができる。
【００６０】
このように、第１の実施形態においては、検出処理部２７，３７が異常状態を検出するように機能設定部２２に設定しておけば、親機２または副親機３に設けられている通話用のマイク部２８，３８の入力レベルにより検出処理部２７，３７が異常状態を検出したときに、転送処理部２ａは機能設定部２２に設定された外部端末４に異常状態の発生を通知するので、応答者が親機２や副親機３から離れたところにいる場合においても、外部端末４により異常状態の発生を知ることができる。また、応答者は、外部端末４により異常状態を検出した検出処理部２７，３７を有する親機２または副親機３の識別情報を知ることができるので、応答者が親機２や副親機３から離れたところにいる場合においても、異常状態が発生したこととともに異常状態が発生した場所の概略位置を知ることができる。
【００６１】
さらに、応答者は、外部端末４により異常状態に対して口頭で対応することができ、外部端末４によりカメラ部２３，３２を動作制御しつつ、転送処理部２ａにより送信された映像を外部端末４で見ることができるので、応答者が親機２や副親機３から離れたところにいる場合においても、異常状態が発生した屋内の状況を確認しながら口頭で対応することができる。
【００６２】
なお、本実施形態においては、人体検出センサからなるセンサ部を備えた構成で説明したが、所定の音量レベルを複数設けることや音声検出機能を持たせることによって、より精度のよい異常検出が可能であり、必要に応じて備えればよいことは言うまでもない。
【００６３】
（第２の実施形態）
次に、本発明に係る他の実施形態を同じく図１乃至図３を用いて説明する。このものは、第１の実施形態と検出処理部２７，３７の機能が追加された以外は、第１の実施形態と同じである。
【００６４】
検出処理部２７，３７は、周波数分析部を有して構成されており、マイク部２８，３８からの入力の周波数成分を周波数分析部により求め、あらかじめ設定した周波数成分と比較することにより異常状態を検出するものである。こうすることにより、マイク部２８，３８に入力される特徴的な周波数を有する音の音質を考慮して屋内における異常状態を検出することができる。例えば、ガラスの破壊されたときに発生する周波数成分を検出したり、乳児の泣き声の特徴的な周波数成分を検出して、異常状態を通知できるようになる。
【００６５】
このように、第２の実施形態においては、マイク部２８，３８の入力の特徴的な周波数成分により異常状態を検出するので、マイク部２８，３８に入力される音の音質を考慮して屋内における異常状態を検出することができる。
【００６６】
なお、子機１と親機２、親機２と副親機３とが有線で接続され、親機２と外部端末４が無線で接続される例について説明したが、それに限るものではなく、子機１と親機２、親機２と副親機３とが無線で接続されていても親機２と外部端末４が有線で接続されていてもよい。また、親機２の外部回線インターフェイス部２ｆと外部端末４は電話機である場合について説明したが、これらを無線通信機としてもよい。
【００６７】
また、副親機３が親機２に３台接続されているものについて説明を行ったが、それに限るものではなく、必要に応じた任意の台数の副親機３を親機２に接続するものであってもよい。
【００６８】
また、カメラ部２３，３２は、映像情報を使用しないシステム構成にする場合にはこれらを用いずにシステムを構成することができる。また、カメラ部２３，３２は、異常状態を検出した検出処理部２７，３７を有する親機２または副親機３と外部端末４との間の通話を可能にしてから映像情報を外部端末４送信するものについて説明したが、それに限るものではなく、異常状態が検出された後のどのタイミングで映像情報を送信するものであってもよい。
【００６９】
【発明の効果】
請求項１に係る発明によれば、検出処理部が異常状態を検出するように機能設定部に設定しておけば、マイク部の入力状況により検出処理部が異常状態を検出したときに、転送処理部は機能設定部に設定された外部端末に異常状態の発生を通知するので、応答者が親機や副親機から離れたところにいる場合においても、異常状態の発生を知ることができる。
【００７０】
請求項２に係る発明によれば、請求項１記載の効果に加え、マイク部に所定の音量レベル以上の音が入力されると異常状態が検出されるので、物音が生じたときに異常状態を検出することができる。
【００７１】
請求項３に係る発明によれば、請求項２記載の効果に加え、複数の音量レベルを異なる異常状態に対応させておくことにより複数の異常状態を検出してそのうちのどれが起きたかを外部端末に通知することができる。
【００７２】
請求項４に係る発明によれば、請求項１乃至３記載の効果に加え、異常状態の発生が人間によるものかどうかを知ることにより、その異常状態に適切な対応することができる。
【００７３】
請求項５に係る発明によれば、請求項１乃至４記載の効果に加え、マイク部の入力の周波数成分により異常状態を検出するので、マイク部に入力される音の音質を考慮して異常状態を検出することができる。
【００７４】
請求項６に係る発明によれば、請求項１乃至５記載の効果に加え、応答者は、外部端末により異常状態を検出した親機または副親機の識別情報を知ることができるので、応答者が親機や副親機から離れたところにいる場合においても、異常状態が発生した場所の概略位置を知ることができる。
【００７５】
請求項７に係る発明によれば、請求項６記載の効果に加え、応答者は、外部端末により異常状態が発生した場所の周囲の音を聞くことができるとともにその場所に向けて話しかけることができるので、応答者が親機や副親機から離れたところにいる場合においても、異常状態に対して口頭で対応することができる。
【００７６】
請求項８に係る発明によれば、請求項１乃至７記載の効果に加え、応答者は、転送処理部により送信された映像を外部端末で見ることができるので、応答者が親機や副親機から離れたところにいる場合においても、異常状態が発生した屋内の状況を確認することができる。
【００７７】
請求項９に係る発明によれば、請求項７記載の効果に加え、応答者は、外部端末により異常状態に対して口頭で対応しても反応がないときに、転送処理部により送信された映像を外部端末で見ることができるので、応答者が親機や副親機から離れたところにいる場合においても、異常状態が発生した屋内の状況を確認しながら口頭で対応することができる。
【００７８】
請求項１０に係る発明によれば、請求項８または９記載の効果に加え、応答者は、外部端末を操作することにより親機または副親機に設けられたカメラ部の動作制御をすることができるので、異常状態が発生した屋内の状況を角度や方向などの撮像範囲を変化させて確認することができる。
【図面の簡単な説明】
【図１】実施形態を示す全体構成図である。
【図２】実施形態の親機を示すブロック図である。
【図３】実施形態の副親機を示すブロック図である。
【符号の説明】
１　　　子機
１１　　呼出釦
１２　　マイク部
１３　　スピーカ部
２　　　親機
２１　　応答釦
２２　　機能設定部
２３　　カメラ部
２４　　センサ部
２５　　ＲＯＭ
２６　　ＲＡＭ
２７　　検出処理部
２８　　マイク部
２９　　スピーカ部
２ａ　　転送処理部
２ｂ　　制御部
２ｃ　　演算部
２ｄ　　子機インターフェイス部
２ｅ　　副親機インターフェイス部
２ｆ　　外部回線インターフェイス部
３　　　副親機
３１　　応答釦
３２　　カメラ部
３３　　センサ部
３４　　親機インターフェイス部
３５　　ＲＯＭ
３６　　ＲＡＭ
３７　　検出処理部
３８　　マイク部
３９　　スピーカ部
３ａ　　制御部
３ｂ　　演算部
４　　　外部端末
【図１】
2004112387.tif 000003
【図２】
2004112387.tif 000004
【図３】
2004112387.tif 000005